(57)【特許請求の範囲】
【請求項１】
穀物などの粉粒物が貯蔵される容器本体を備えていて、この容器本体内の粉粒物をカップ等で掬い出す粉粒物ストッカーであって、容器本体の内部にその内底面から内側面に渡って全体がほぼ円弧状に延びる底浚い溝を形成し、この底浚い溝の下側の端を容器本体の内底面に連続させ、その底頂部は上記内底面より低い位置にあることを特徴とする粉粒物ストッカー。
【請求項２】
請求項１に記載した粉粒物ストッカーにおいて、底浚い溝の長手方向と直交する断面形状をほぼ円弧形にしたことを特徴とする粉粒物ストッカー。
【請求項３】
請求項１又は２に記載した粉粒物ストッカーにおいて、計量容器で掬った粉粒物をその計量容器の口で摺り切るための摺切り部を備えたことを特徴とする粉粒物ストッカー。
【発明の詳細な説明】
【０００１】
【発明の属する技術分野】
本発明は、穀物等の粉粒物を容器本体に貯蔵し、その粉粒物を必要な都度カップ等で掬い出す比較的簡易な粉粒物ストッカーに関し、特に、貯蔵してある粉粒物の量が底を突いて来た状態でも、ほぼ１動作で残らず取り出すことができる粉粒物ストッカーに関するものである。
【０００２】
【従来の技術】
例えば、比較的簡易な構造の米びつは、上面が開口した容器本体とその上面を開閉する蓋部材などから構成されていて、中に収納した米の取り出しは、口が円い計量カップ等で掬い出すことで行うようになっている。
このような米びつの形状は、蓋には幾つかの形態があるものの、容器本体の形状は上面が開口した箱形をしており、その底面はほぼ平坦になっている。
【０００３】
【発明が解決しようとする課題】
この種の米びつは小型且つ軽量で、安価でもあるため、大変重宝するものではあるが、中の米が底を突いて来ると、計量カップでは上手く掬えなくなって、どうしても少なからぬ量が底に残ってしまう。
このように残った米は、隅に集めてスプーンなどでこまめに掬ったり、或いは、米びつ全体をひっくり返して適当な容器にあけるといった面倒なことをしない限り残らず取り出すことは不可能であり、その際、往々にして辺りに米をこぼしてしまったりする。
そうかといって、底に残った米を最後まで出し切らないでおくと、変質したり虫がわいたりして不衛生な結果になる。
【０００４】
本発明は上記した従来の問題点に鑑みて為されたものであり、容器本体の底に残った穀物などの粉粒物をほぼ１動作で残らず取り出すことができる新規な粉粒物ストッカーを提供することを目的とする。
【０００５】
【課題を解決するための手段】
この目的を達成するために、請求項１に記載した粉粒物ストッカーは、穀物などの粉粒物が貯蔵される容器本体を備えていて、この容器本体内の粉粒物をカップ等で掬い出す粉粒物ストッカーであって、容器本体の内部にその内底面から内側面に渡って全体がほぼ円弧状に延びる底浚い溝を形成し、この底浚い溝の下側の端を容器本体の内底面に連続させ、その底頂部は上記内底面より低い位置にあることを特徴とするものである。
【０００６】
この粉粒物ストッカーにあっては、粉粒物の収納量が底を突いて来た場合でも底浚い溝にはある程度の層厚で粉粒物が溜まっているため、この底浚い溝を底部から側部に向けて計量カップ等で浚うことにより、残りの粉粒物を容易に掬い取ることができる。最終的には、底面上に多少残った粉粒物を手や刷毛などで底浚い溝に全て掃き落してから底浚い溝をカップ等で浚えば、それもきれいに掬い取ることができる。
従って、本発明によれば、底に残った粉粒物をスプーン等で掬ったり容器をひっくり返したりしなくても、１ないし数回、底浚い溝を浚うだけで、残りの粉粒物を簡単に取り出すことができる。特に、粉粒物が米や小麦粉などの食料である場合、古いものが常に残ってしまう心配をしなくて済む。
【０００７】
また、このようにすると、底浚い溝の底部は、容器本体の内底面に連続した端から底頂部に向かって円弧形に下る形になるので、この端からカップを当てて溝を浚えば、底浚い溝内にある粉粒物をその端から掬い取ることができる。
【０００８】
請求項２に記載した粉粒物ストッカーは、請求項１に記載した粉粒物ストッカーにおいて、底浚い溝の長手方向と直交する断面形状をほぼ円弧形にしたことを特徴とするものである。
この種のストッカーには、通常、口が円い計量カップが用意されるので、底浚い溝の上記断面形状の曲率半径を当該計量カップの口の曲率半径に合わせておけば、底浚い溝内の粉粒物をより確かに残さないで掬い取ることができる。
【０００９】
請求項３に記載した粉粒物ストッカーは、請求項１又は２に記載した粉粒物ストッカーにおいて、計量容器で掬った粉粒物をその計量容器の口で摺り切るための摺切り部を備えたことを特徴とするものである。
従って、粉粒物を当該計量容器に摺り切り一杯分で正確に掬う場合は、多少山盛りに掬った後、その計量容器の口を摺切り部で擦れば済むことになる。
【００１０】
【発明の実施の形態】
以下に、本発明粉粒物ストッカーを米びつ１に適用した実施の一形態を、図面に従って説明する。
この米びつ１は、容器本体３と、固定蓋２１と、開閉蓋２５とから構成されており、これら部材はいずれも合成樹脂で各部一体に形成されている。
【００１１】
〔Ａ．容器本体〕（図１〜図４）
容器本体３は、上面の全体が開口５した比較的深い箱形をしており、平面形状はほぼ長方形を為し、周壁７は下方へ行くに従って内側へ寄るように多少傾斜すると共に、その上端部は外側へ張り出した枠様のフランジ７ａになっている。容器本体３の底壁９は、その中央部９ａが基本的に平坦になっていて、これを囲う外周部９ｂは中央部９ａに向かって緩やかに下り傾斜している。
【００１２】
この容器本体３の内側に、円弧形に凹んだ滑り台のような底浚い溝１１が形成されている。すなわち、この底浚い溝１１は、底壁９の中央部９ａの上面から周壁７のうち長手方向での一側壁７ｂの内面に渡って延びるように形成され、下側の端１１ａは底壁９の中央部９ａにおける反一側壁７ｂ側の端寄り位置でこの中央部９ａの上面に連続しており、上側の端１１ｂは一側壁７ｂの高さ方向における中間辺りまで延びている。このような溝１１を形成するために、底壁９と一側壁７ｂとが連続する個所に内部壁１３を設けてある。そして、この底浚い溝１１は、一端１１ａから他端１１ｂまでの全体が容器本体３の中央から稍上寄りに中心を持つ円弧状に延びる（図３等参照）と共に、その長手方向と直交する断面形状は半円弧形をしている（図１、図２参照）。この円弧の曲率半径は、口が円い一般的な１合容量の計量カップ２９（図３等参照）の口２９ａの曲率半径とほぼ一致させてある。
【００１３】
従って、この底浚い溝１１の底頂部１１ｃは、底壁９の一番低い領域である中央部９ａの上面より低い位置にあり且つ下側の端１１ａよりある程度上側の端１１ｂ側へ寄ったところに位置し、この上側の端１１ｂにおいてはほぼ上側を向く。
底壁９の下面からは脚部１５が突出していて、底浚い溝１１の底頂部１１ｃが床に着いて容器本体３の姿勢が不安定にならないようにしてある。
【００１４】
〔Ｂ．固定蓋、開閉蓋〕（図１、図３、図４）
固定蓋２１は、容器本体３の開口５の長手方向一端部を常時被うためのもので、その外周部の３辺を為すフランジ部２１ａが容器本体３のフランジ７ａの一端部にきっちり嵌合することで容器本体３に取り付けられる。
この固定蓋２１の上面のうちフランジ部２１ａが無い側部に沿う部分には指挿入凹部２１ｂが形成され、この指挿入凹部２１ｂの前側に防塵壁２１ｃが形成されている。また、固定蓋２１の底面すなわち指挿入凹部２１ｂの裏面によって摺切り部２１ｄが構成されている。
【００１５】
開閉蓋２５は、容器本体３の開口５のうち固定蓋２１で覆われた部分以外の実質的開口部を開閉するためのもので、固定蓋２１と反対側の位置においてピン２７を介して容器本体３に回動自在に支持され、図３に二点鎖線で示すように上記実質的開口部を閉じた閉塞位置と、同図に実線で示すようにほぼ垂直姿勢になって実質的開口部を開放した開放位置との間を移動される。閉鎖位置に来ている開閉蓋２５を開くときは、指挿入凹部２１ｂに指先を入れて開閉蓋２５の回動端部を持ち上げる。
この開閉蓋２５の内面における回動端部寄りの位置からは摺切り部２５ａが突出している。この摺切り部２５ａは、計量カップ２９で掬った米Ｒをカップ２９の口で摺り切るためのもので、側方から見てほぼコ字形をしている。
米びつ１は以上のように構成されている。
【００１６】
〔Ｃ．使用方法〕（図３〜図４）
次に、米びつ１の使用方法を説明する。
容器本体３に米Ｒを入れると、当然、底浚い溝１１がその米Ｒに潜る。
容器本体３内から米Ｒを出すときは、計量カップ２９で必要な量を掬う。このとき、計量カップ２９に山盛り状態で掬い取った場合は、計量カップ２９の口２９ａを図３に一点鎖線で示すように前倒れにした開閉蓋２５の摺切り部２５ａで摺ることにより、又は、同図に計量カップ２９を実線で示すように固定蓋２１の底面によって構成されている摺切り部２１ｄで摺ることによって、当該計量カップ２９に摺り切り一杯分の量になる。
【００１７】
そして、容器本体３内の米Ｒが底を突いて来た場合は、計量カップ２９を図４に示すように動かして底浚い溝１１を浚うことで、十分な量を一度で掬い取ることができる。すなわち、米Ｒの量が減ってきて層厚が薄くなると、円い口の計量カップ２９では一度に十分な量を掬うことは難しいが、少なくとも底浚い溝１１の下部にはある程度の層厚で、即ち、横倒しにした計量カップ２９の高さの半分程度の層厚で米Ｒが溜まっているので、この底浚い溝１１を浚うことで、十分な量の米Ｒを容易に掬い取ることができる。
【００１８】
この場合、浚い始める位置は特に制約されないが、底頂部１１ｃ辺りから、又は、残量が少ないときは図４に実線で示す計量カップ２９のように下側の端１１ａ辺りからにすれば十分な量を掬うことができる。そして、計量カップ２９を上側の端１１ｂまで運べば、計量カップ２９の口２９ａが必然的に上を向くので、掬い取った米Ｒをこぼさないで済む。
【００１９】
最終的には、底壁９上に残った米Ｒを手や刷毛で底浚い溝１１に掃き落とした後、計量カップ２９の口２９ａを底浚い溝１１の下側の端１１ａ辺りに当ててから底浚い溝１１を浚えば、通常は、容器本体３内の米Ｒが一粒残らずきれいに取り出される。すなわち、底浚い溝１１の横断面の円弧半径は計量カップ２９の口２９ａの円弧半径と一致しているので、その口２９ａの周縁を底浚い溝１１に当てて滑らせて行けば、溝１１内の米Ｒは残らず計量カップ２９で掬われるからである。
【００２０】
以上、本発明の実施の形態を説明したが、本発明の具体的構成がこの実施の形態に限定されるものでは無く、本発明の要旨から外れない範囲での設計変更等があっても本発明に含まれる。
例えば、実施の形態においては、底浚い溝の両端間の円弧が一つの半径を持つ形にしたが、この半径は複数あっても良い。
そして、本発明は、米びつに限らず、粒状又は粉状の各種の物を収納するための粉粒物ストッカーとして広く適用することができ、粉粒物は工業材料などであっても良い。
【００２１】
【発明の効果】
以上のように、本発明によれば、粉粒物の収納量が底を突いて来た場合でも底浚い溝にはある程度の層厚で粉粒物が溜まっているため、この底浚い溝を底部から側部に向けて計量カップ等で浚うことにより、残りの粉粒物を容易に掬い取ることができ、最終的には、底面上に多少残った粉粒物を手や刷毛などで底浚い溝に全て掃き落してから底浚い溝をカップ等で浚えば、それもきれいに掬い取ることができる。従って、底に残った粉粒物をスプーン等で掬ったり容器をひっくり返したりしなくても、１乃至数回、底浚い溝を浚うだけで、残りの粉粒物を簡単に掬い出すことができる。
【００２２】
請求項２の発明によれば、底浚い溝の底部は、容器本体の内底面に連続した端から底頂部に向かって円弧形に下る形になるので、この端からカップを当てて溝を浚えば、底浚い溝内にある粉粒物をその端から掬い取ることができる。
【００２３】
請求項３の発明によれば、底浚い溝の上記断面形状の曲率半径を計量カップの口の曲率半径に合わせておけば、底浚い溝内の粉粒物をより確かに残さないで掬い取ることができる。
【００２４】
請求項４の発明によれば、粉粒物を当該計量容器に摺り切り一杯分で正確に掬う場合は、多少山盛りに掬った後、その計量容器の口を摺切り部で擦れば済むことになる。
【図面の簡単な説明】
【図１】本発明の実施の形態に係る粉粒物ストッカーの全体斜視図である。
【図２】図１に示す粉粒物ストッカーの容器本体を一部切り欠いて示す斜視図である。
【図３】図１に示す粉粒物ストッカーの、収納量が多い状態での使用方法を説明するための断面図である。
【図４】図１に示す粉粒物ストッカーの、収納量が底を突いた状態での使用方法を説明するための断面図である。
【符号の説明】
１…粉粒物ストッカー    ３…容器本体    ７ｂ…側面    ９…底面
１１…底浚い溝    １１ａ…下側の端    １１ｃ…底頂部    ２９…カップ
２１ｄ…摺切り部    ２５ａ…摺切り部
【図１】
0004721526.tif 000002
【図２】
0004721526.tif 000003
【図３】
0004721526.tif 000004
【図４】
0004721526.tif 000005